(57)【特許請求の範囲】
【請求項１】
外枠の一側縁の上下部にヒンジ機構を備え、該ヒンジ機構は、外枠に固定するヒンジ保持部材と該ヒンジ保持部材に装着される前面枠取付用ヒンジ部材との２部材から構成されており、
前記ヒンジ保持部材には係合孔を穿設し、前記前面枠取付用ヒンジ部材には嵌合突起を設け、前記前面枠取付用ヒンジ部材の嵌合突起を前記ヒンジ保持部材の係合孔に嵌め合わせることにより該前面枠取付用ヒンジ部材を該ヒンジ保持部材に着脱可能に装着するようにすると共に、
前記前面枠の一側縁の上下部に設けられたヒンジ部材を前記ヒンジ機構の前面枠取付用ヒンジ部材に軸支することにより該前面枠を該外枠に開閉可能且つ着脱可能に取り付けるようにしたことを特徴とするパチンコ遊技機。
【請求項２】
前記係合孔は、大径孔部と小径孔部とが連通状に設けられた鍵穴形状であり、前記嵌合突起は、該係合孔の大径孔部に嵌合可能な大径頭部と小径孔部に係合可能な細径基部とを有することを特徴とする請求項１記載のパチンコ遊技機。
【発明の詳細な説明】
【０００１】
【発明の属する技術分野】
本発明は、外枠に対して前面枠が開閉自在に軸支されているパチンコ遊技機に関し、特に外枠を各メーカー間で共通使用することができるようにしたパチンコ遊技機に関するものである。
【０００２】
【従来の技術】
従来、パチンコ遊技機においては、各種遊技機器の点検や修理のため外枠に対して前面枠が開閉自在に軸支されている。ところで、従来の前面枠の軸支構造は、外枠と前面枠の一側縁を開閉自在に蝶着する上部ヒンジ機構と下部ヒンジ機構とから構成されており、上部ヒンジ機構は、外枠の上部隅部に固着される上部固定金具と前面枠の一側上部に固着される上部可動金具とから構成され、下部ヒンジ機構は、外枠の下部隅部に固着される下部固定金具と前面枠の一側下部に固着される下部可動金具とから構成されている。そして、上部固定金具に設けられた軸孔に上部可動金具の下向きの上ヒンジ軸を嵌め合わせて軸着し、また下部固定金具に上向きに突設した下ヒンジ軸を下部可動金具に設けた軸孔に嵌め合わせて軸着することにより、これらの上下ヒンジ軸を支点に前面枠を外枠に対して開閉自在に軸支するように構成されている。
【０００３】
一方、周知のように従来のパチンコ遊技機では、外枠の開放側内側面の上下位置に係止金具を設けると共に、前面枠の開放側内側面に解錠操作により上下方向へ摺動自在な施錠杆を有する施錠機構を設け、施錠杆の上下部に設けられた鉤部を外枠の係止金具にそれぞれ係合させて前面枠体を施錠すると共に、鍵によるシリンダー錠の回動操作により施錠杆を摺動させて鉤部と係止金具との係合を解除することにより前面枠の施錠を解錠するように構成されている。
【０００４】
【発明が解決しようとする課題】
上記のような従来のパチンコ遊技機にあっては、外枠と前面枠を開閉自在に蝶着する上部ヒンジ機構と下部ヒンジ機構、或いは施錠機構の施錠杆と外枠の係止金具との対応位置関係が各メーカー毎に微妙に異なっているため、例えばパチンコ店に設置されている［Ａ］というパチンコ遊技機を他メーカーの［Ｂ］というパチンコ遊技機に機種変更しようとした場合、上述のような構造上の相違からどうしても外枠を含むパチンコ遊技機全体を交換しなくてはならなかった。このため、このような機種変更の作業は非常に煩雑かつ面倒なものとなってパチンコ店側に大きな負担を強いるばかりでなく、パチンコ遊技機の製造コスト高を招く結果となり、さらには交換された外枠は不要物となって廃材として処理する以外に方法がなく、非常に不経済であるばかりか、焼却などの廃材処理に要する手間や環境保護の観点から問題が多いとされていた。
【０００５】
本発明は上記のような問題点に鑑みてなされたもので、その目的とするところは、外枠を交換することなく容易に機種変更することができるようなパチンコ遊技機を提供しようとするものである。
【０００６】
【課題を解決するための手段】
上記した目的を達成するために、請求項１記載の発明は、外枠の一側縁の上下部にヒンジ機構を備え、該ヒンジ機構は、外枠に固定するヒンジ保持部材と該ヒンジ保持部材に着脱可能に装着される前面枠取付用ヒンジ部材との２部材から構成されており、前面枠の一側縁の上下部に設けられたヒンジ部材をヒンジ機構の前面枠取付用ヒンジ部材に軸支することにより前面枠を外枠に開閉可能に取り付けるようにしたことを特徴としている。
【０００７】
また、請求項２記載の発明は、前記ヒンジ保持部材に係合孔を設けると共に、前面枠取付用ヒンジ部材に嵌合突起を設け、該嵌合突起を係合孔に嵌め合わせることにより前面枠取付用ヒンジ部材をヒンジ保持部材に着脱可能に装着するようにしたことを特徴としている。
【０００８】
そして、請求項１又は２記載の発明によれば、各メーカーの前面枠に使用される上下ヒンジ部材にそれぞれ適合可能な軸支構造を備えた前面枠取付用ヒンジ部材をあらかじめ用意して置くことにより、変更する機種の上下ヒンジ部材に適合する前面枠取付用ヒンジ部材を選択して外枠のヒンジ保持部材に装着するだけの簡単な作業で変更する機種の前面枠を外枠に軸支することができるもので、前面枠の軸支構造が異なるパチンコ機であっても外枠を交換することなく容易に機種変更することが可能となる。
【０００９】
また、請求項３記載の発明は、前面枠に解錠操作により上下方向へ摺動自在な施錠杆を有する施錠機構を設け、外枠に施錠杆の鉤部と係脱する係止金具を設けた請求項１又は２記載のパチンコ遊技機であって、前記係止金具は、外枠に固定する調節支持板と該調節支持板に着脱可能に装着される係止部材との２部材から構成されており、係止部材に施錠杆の鉤部と係脱する係止部を設けて成ることを特徴としている。
【００１０】
この構成によれば、外枠の係止金具と変更する機種の施錠機構の施錠杆との対応位置関係が異なっていても、係止部材を調節支持板に対して変更する機種の施錠杆の鉤部が係合可能な位置に装着することにより、前面枠の施錠機構が異なるパチンコ機であっても外枠を交換することなく容易に機種変更することが可能となる。
【００１１】
また、請求項４記載の発明は、前記調節支持板であって、その縦方向に複数の係合孔を設けると共に、係止部材に嵌合突起を設け、該嵌合突起を係合孔に嵌め合わせることにより係止部材を調節支持板に対して着脱可能に装着するようにしたことを特徴としており、請求項５記載の発明は、前記係合孔が、大径孔部と小径孔部とが連通状に設けられた鍵穴形状であり、嵌合突起は、係合孔の大径孔部に嵌合可能な大径頭部と小径孔部に係合可能な細径基部とを有することを特徴としている。
【００１２】
この構成によれば、ヒンジ保持部材に対する前面枠取付用ヒンジ部材、或いは調節支持板に対する係止部材の係脱が簡単かつ確実にでき、より一層機種変更が容易に可能となる。
【００１３】
【発明の実施の形態】
次に、図面を参照して本発明の一実施の形態を説明する。図１は本発明が適用されるパチンコ遊技機の正面図、図２はガラス板保持枠と打球供給皿を有する前面板及び余剰球受皿を有する前面下部板を開いた状態のパチンコ遊技機の斜視図、図３はガラス板保持枠と打球供給皿を有する前面板及び余剰球受皿を有する前面下部板を装着した状態の前面枠を外枠から分離した状態の斜視図、図４は外枠と前面枠を分離した状態の斜視図である。パチンコ遊技機１は、ベニヤ板等の合板により縦長な方形状に枠組み形成される外枠２と、該外枠２の一側縁に設けられた上部ヒンジ機構３ａ及び下部ヒンジ機構３ｂによって開閉自在に軸支される前面枠４とを備え、該前面枠４の前面一側にガラス板保持枠５と、打球供給皿６を有する前面板７及び余剰球受皿８を有する前面下部板９とを開閉自在に軸支して構成されている。
【００１４】
前記前面枠４は、図４に示すように鉄板等の金属板によって形成されるもので、上部に開口部１０が形成され、その下部が板状部１１ａとして形成された主枠部１１と、該主枠部１１の裏面側であり、開口部１０の上側位置を除く左右両側位置及び下側位置にそれぞれカシメ着されて該主枠部１１と一体化される遊技盤取付枠１２とを有し、その遊技盤取付枠１２であり、かつ主枠部１１の開口部１０を覆うように遊技盤１３が着脱可能に取り付けられるようになっている。この遊技盤１３の前面には円形状の誘導レール１３ａが複数のレール取付ピンで取り付けられており、該誘導レール１３ａで囲まれる領域が遊技領域として構成されている。
【００１５】
また、前記前面枠４には図２に示すようにパチンコ遊技機１の主要な遊技構成部品のほぼすべてが集約して設けられている。すなわち、前面枠４の主枠部１１前面には、遊技盤１３の遊技領域外を覆うように合成樹脂により形成されたレール飾り部材１４と、同じように合成樹脂により形成されたレール変形防止部材１５が設けられ、遊技盤１３の遊技領域外には証紙貼付部材１６が設けられる。また、開口部１０の下方の板状部１１ａに貫通形成された円形状取付孔１７には打球発射機構１８が設けられ、ほぼ四角状取付孔１９には通路構成体２０が取り外し自在に装着されるようになっている。
【００１６】
前記打球発射機構１８は、発射レール２１と、該発射レール２１の発射位置に臨む打球杆２２と、該打球杆２２の駆動源としてのロータリーソレノイド２３と、打球杆２２の発射動作に連動して打球供給皿６に貯留される打球を１個ずつ発射レール２１の発射位置に供給する自動球送り装置２４とをそれぞれ板状の保持体２５に一体に組付けてユニット化されている。そして、円形状取付孔１７にロータリーソレノイド２３を前面側から臨ませると共に、保持体２５の裏面側に突設された複数の嵌合突起（図示せず）を板状部１１ａに穿設された係合孔２６に係合させることによって、打球発射機構１８が前面枠４の主枠部１１にビス止めすることなくワンタッチで強固に取り付けられるようになっている。
【００１７】
前記通路構成体２０は、その上部位置にファール球を受けるファール球受皿部２７と、前面板７の開放時に零れ落ちる賞球を受ける賞球受皿部２８が隔壁２９によりそれぞれ分離して設けられており、ファール球受皿部２７と連通状にファール球誘導通路３１が、また賞球受皿部２８と連通状に零れ球誘導通路３０がそれぞれ互いに独立して設けられている。そして、ほぼ四角状取付孔１９に通路構成体２０の後部分を前面側から臨ませると共に、複数の後向き係止爪（図示せず）を板状部１１ａに穿設された係合溝３２に係止されることによって、通路構成体２０が前面枠４の主枠部１１にビス止めすることなくワンタッチで強固に取り付けられるようになっている。
【００１８】
このように、打球発射機構１８、或いは通路構成体２０をユニット化して鉄板等の金属板によって形成される前面枠４に取り外し自在に装着するようにすることにより、前面枠４と打球発射機構１８、或いは通路構成体２０の分離仕分け作業が容易となり、パチンコ遊技機を廃棄処分したりリサイクルしたりするのに好都合となる。
【００１９】
一方、図３及び図４に示すように前記前面枠４の前面であり、かつその軸支側の上端には、ガラス板保持枠５の一側上端を軸支するための下向きのヒンジ軸３３を突設した支持体３４が固着されている。また、中程よりやや下方位置にガラス板保持枠５の一側下端と前面板７及び前面下部板９とを軸支するためのヒンジ金具３５が固着されている。このヒンジ金具３５は、上下両端に水平な支持片３６，３６を有するコ字形に形成されており、両支持片３６，３６にヒンジ軸杆３７が貫通されている。このヒンジ軸杆３７の下端は前面枠４の前方に突出する後述の下部可動金具８５の支持板部９０に固着されており、その上端が上部の支持片３６から上方に突出されている。そして、その上部の支持片３６から上方に突出するヒンジ軸杆３７にガラス板保持枠５の一側下端が軸支され、両支持片３６，３６間に位置するヒンジ軸杆３７に前面板７が軸支され、さらに下部の支持片３６と後述する前面枠４の下部可動金具８５の支持板部９０間に位置するヒンジ軸杆３７に前面下部板９が軸支されるようになっている。
【００２０】
前記前面板７の前面に設けられる打球供給皿６は、その左側部分が図１に示すように前面が開放されたドーム状の空間部３８が形成されるような膨出部４０とされており、その空間部３８に灰皿３９が前方に回転自在に軸支されている。このように、ドーム状の空間部３８に灰皿３９を設けることによって、灰皿３９を目立たなくすることができると共に、全体的なデザイン効果を高めることができるようになっている。また、前記ドーム状の空間部３８が設けられた膨出部４０の上部には半透明のレンズカバー４１が設けられ、カード式パチンコ機用の残高表示装置４２がレンズカバー４１の内側に取り付けられている。さらに残高表示装置４２の近くにカード式パチンコ機における貸し球ボタン４３、カード返却ボタン４４等の操作部が設けられている。
【００２１】
前記前面下部板９の前面に設けられる余剰球受皿８は、図１に示すようにその右側位置にハンドル装置４５が設けられており、該余剰球受皿８の前面を装飾する装飾カバー体４６と、ハンドル装置４５のカバー部４７とが滑らかな湾曲面状で連続性を有する一体形状となるように形成されている。また、余剰球受皿８の前面ほぼ中央部には、多数の透音孔４８を設けたパンチングメタル４９を介してスピーカー５０が取り付けられている。そして、スピーカー５０の音がパンチングメタル４９を通して余剰球受皿８の前面ほぼ中央部から直接に出されるようになっている。
【００２２】
次に、本発明の特徴とする外枠２の上部ヒンジ機構３ａ及び下部ヒンジ機構３ｂについて説明する。前記上部ヒンジ機構３ａは、図５ないし図７に示すように上ヒンジ保持部材３１ａと該上ヒンジ保持部材３１ａにそれぞれ着脱可能に装着される上前面枠取付用ヒンジ部材３１１ａとの２部材から構成されている。前記上ヒンジ保持部材３１ａは、金属板を折り曲げて略逆Ｌ字形に形成されるもので、外枠２の上部水平枠部２ａの上面にネジ止め等により固定される水平板部５１と、外枠２の左側枠部２ｂの上部外側にネジ止め等により固定される垂直板部５２とを有し、その水平板部５１と垂直板部５２のそれぞれ前縁を内側に折り曲げて外枠２の上部水平枠部２ａの前面縁部に対峙する第１支持部５３と、左側枠部２ｂの前面縁部に対峙する第２支持部５４とを一体に設けている。
【００２３】
前記第１支持部５３及び第２支持部５４は上前面枠取付用ヒンジ部材３１１ａを取り付けるためのもので、第１支持部５３には２個の係合孔５５，５５が横に所定間隔を離して穿設されており、第２支持部５４には同様に２個の係合孔５６，５６が縦に所定間隔を離して穿設されている。前記係合孔５５、５５及び５６、５６は、大径孔部６５と小径孔部６６とが連通状に設けられた鍵穴形状に形成されており、前記係合孔５６，５６は第２支持部５４の内縁部分を切欠６９，６９して外部と連通状に設けられている。なお、第１支持部５３と第２支持部５４のそれぞれ端部には後方へ直角に折れ曲る折曲部５７，５７が設けられており、その折曲部５７，５７を上水平枠部２ａ及び左側枠部２ｂの内側にそれぞれ当接することによって外枠２に対する上ヒンジ保持部材３１ａの固定状態を確固と維持することができるようになっている。
【００２４】
一方、前記上前面枠取付用ヒンジ部材３１１ａは、金属板により略逆Ｌ字形に形成されており、その横片部５８と縦片部５９の内側には嵌合突起６０，６０及び６１，６１がそれぞれ突設されている。この嵌合突起６０、６０及び６１、６１は、前記上ヒンジ保持部材３１ａに設けられた係合孔５５、５５及び５６、５６の大径孔部６５に嵌合可能な大径頭部６７と小径孔部６６に係合可能な細径基部６８とを有する。また、横片部５８の上縁部分には折り曲げにより前方に向けて水平に突出する軸受片６２が一体に形成されており、その軸受片６２に外側に向かって開口する切欠き溝６３と該切欠き溝６３と連通状の軸受孔６４が穿設されている。なお、切欠き溝６３の両側に位置する軸受片６２の上面は、手前下から後方上へ向かう上向き傾斜面６２ａ，６２ａとして形成されている。
【００２５】
上記のように構成された上前面枠取付用ヒンジ部材３１１ａを上ヒンジ保持部材３１ａに取り付けるには、嵌合突起６０、６０及び６１，６１の大径頭部６７を係合孔５５，５５及び５６，５６の大径孔部６５に嵌めて上前面枠取付用ヒンジ部材３１１ａを上ヒンジ保持部材３１ａに密着させ、この状態で上前面枠取付用ヒンジ部材３１１ａを横方向にスライドさせて図８に示すように嵌合突起６０、６０及び６１，６１の細径基部６８と係合孔５５，５５及び５６，５６の小径孔部６６とを係合させる。この際に前記係合孔５６，５６は切欠６９，６９により外部と連通状に設けられているので、嵌合突起６１，６１を係合孔５６，５６に対してスムーズに嵌合することができ、これによって、上前面枠取付用ヒンジ部材３１１ａを上ヒンジ保持部材３１ａにワンタッチで強固に取り付けることができる。また、このようにして、上ヒンジ保持部材３１ａに取り付けられた上前面枠取付用ヒンジ部材３１１ａを取り外すには、上前面枠取付用ヒンジ部材３１１ａを上方へ押し上げて嵌合突起６０、６０及び６１，６１の細径基部６８を係合孔５５，５５及び５６，５６の小径孔部６６から外した後、嵌合突起６０、６０及び６１，６１の大径頭部６７を係合孔５５，５５及び５６，５６の大径孔部６５に一致させることによって簡単に達せられる。
【００２６】
一方、前記外枠２の下部ヒンジ機構３ｂは、図９ないし図１１に示すように上部ヒンジ機構３ａと同じように下ヒンジ保持部材３１ｂと該下ヒンジ保持部材３１ｂにそれぞれ着脱可能に装着される下前面枠取付用ヒンジ部材３１１ｂとの２部材から構成されている。前記下ヒンジ保持部材３１ｂは、金属板を折り曲げて略Ｌ字形に形成されるもので、外枠２の左側枠部２ｂの下部外側にネジ止め等により固定される垂直板部７０と、その垂直板部７０の前縁下部から内側に直角状に折り曲げられて外枠２の腰板部７１の上方に位置する支持板部７２とを有する。この支持板部７２は下前面枠取付用ヒンジ部材３１１ｂを取り付けるためのもので、大径孔部７３と小径孔部７４とが連通状に設けられた鍵穴形状の２個の係合孔７５，７５が横に所定間隔を離して穿設されている。なお、垂直板部７０の前縁上部には外枠２の左側枠部２ｂに前面側から嵌め込むコ字状の折曲部７６が形成されており、これによって、下ヒンジ保持部材３１ｂを外枠２に対してがたつかないように確固と固定できるようになっている。
【００２７】
また、前記下前面枠取付用ヒンジ部材３１１ｂは、金属板により略Ｌ字形に形成されるもので、その垂直部７７の内側に前記下ヒンジ保持部材３１ｂの係合孔７５，７５に嵌合する２個の嵌合突起７８，７８が突設されており、垂直部７７の下縁から前方に突出する水平部７７ａの先端上面に下ヒンジ軸８１が上向きに突設されている。なお、前記嵌合突起７８，７８は大径孔部７３に嵌合可能な大径頭部７９と小径孔部７４に係合可能な細径基部８０とを有する。
【００２８】
上記のように構成された下前面枠取付用ヒンジ部材３１１ｂを下ヒンジ保持部材３１ｂに取り付けるには、嵌合突起７８，７８の大径頭部７９を係合孔７５，７５の大径孔部７３に嵌めて下前面枠取付用ヒンジ部材３１１ｂを下ヒンジ保持部材３１ｂに密着させ、この状態で下前面枠取付用ヒンジ部材３１１ｂを下方に押し下げて図１１に示すように嵌合突起７８，７８の細径基部８０と係合孔７５，７５の小径孔部７４とを係合させる。これによって、下前面枠取付用ヒンジ部材３１１ｂを下ヒンジ保持部材３１ｂにワンタッチで強固に取り付けることができる。また、このようにして、下ヒンジ保持部材３１ｂに取り付けられた下前面枠取付用ヒンジ部材３１１ｂを取り外すには、下前面枠取付用ヒンジ部材３１１ｂを上方へ押し上げて嵌合突起７８，７８の細径基部８０を係合孔７５，７５の小径孔部７４から外した後、嵌合突起７８，７８の大径頭部７９を係合孔７５，７５の大径孔部７３に一致させることによって簡単に達せられる。なお、前記下前面枠取付用ヒンジ部材３１１ｂであって、その垂直部７７の上縁には後方へ直角に折れ曲る突出片８２と上方へ延びる補強片８３が形成されており、突出片８２を下ヒンジ保持部材３１ｂの垂直板部７２の上縁に戴置させると共に、補強片８３を下ヒンジ保持部材３１ｂの折曲部７６に当接させることによって下前面枠取付用ヒンジ部材３１１ｂを下ヒンジ保持部材３１ｂに確固と保持できるようになっている。なお、前記上ヒンジ保持部材３１ａ及び下ヒンジ保持部材３１ｂが固着される外枠２の上下位置には、上前面枠取付用ヒンジ部材３１１ａの嵌合突起６０、６０、６１，６１及び下前面枠取付用ヒンジ部材３１１ｂの嵌合突起７８，７８が仕えないようにするための凹段部１０７，１０７が形成されている。
【００２９】
一方、図３及び図４に示すように前記前面枠４の一側縁の上下部にはヒンジ部材としての上部可動金具８４及び下部可動金具８５が設けられている。上部可動金具８４は、前面枠４の裏面に添わせる取付片８６と前面枠４の前方に突出する水平板部８７とを有し、その水平板部８７の先端下面に上ヒンジ軸８８が下向きに突設されている。前記上ヒンジ軸８８は、図７に示すように上前面枠取付用ヒンジ部材３１１ａの軸受孔６４に嵌合する円形軸部８８ａと前面枠４をほぼ直角状に開放した状態で切欠き溝６３に挿入できる幅に形成した扁平軸部８８ｂを有し、その円形軸部８８ａと扁平軸部８８ｂとの境界面が後方上から手前下へ向かう下向き傾斜面８８ｃとして形成されている。また、前記下部可動金具８５は、前面枠４の裏面側に添わせる垂直な取付片部８９と前面枠４の前方に突出する水平な支持板部９０とを有し、その支持板部９０に前記下前面枠取付用ヒンジ部材３１１ｂの下ヒンジ軸８１に嵌合する軸孔９１が穿設されている。
【００３０】
しかして、上記のように構成された外枠２の上部ヒンジ機構３ａ及び下部ヒンジ機構３ｂに前面枠４を軸支するには、先ず下部可動金具８５の軸孔９１を下部ヒンジ機構３ｂであって、下前面枠取付用ヒンジ部材３１１ｂの下ヒンジ軸８１に上方から嵌合させて連結し、次に前面枠４をほぼ直角状に開放した状態に位置させて該前面枠４の上部可動金具８４を外枠２の上部ヒンジ機構３ａに接近させ、上部可動金具８４の上ヒンジ軸８８に形成された扁平軸部８８ｂを上前面枠取付用ヒンジ部材３１１ａの軸受片６２に穿設された切欠き溝６３に臨ませて前面枠４を外枠２に押し付ける。これによって、上ヒンジ軸８８の扁平軸部８８ｂが切欠き溝６３に侵入し、その切欠き溝６３の両側の上向き傾斜面６２ａ，６２ａと上部可動金具８４の上ヒンジ軸８８に形成された下向き傾斜面８８ｃとによって前面枠４が徐々に上方へ押し上げられ、さらに前面枠４を押し込むと上ヒンジ軸８８の円形軸部８８ａと軸受片６２の軸受孔６４とが一致する。このため、前面枠４が自重で下がって上ヒンジ軸８８の円形軸部８８ａが軸受片６２の軸受孔６４に嵌合されることになり、前面枠４は上部ヒンジ機構３ａの上前面枠取付用ヒンジ部材３１１ａ及び下部ヒンジ機構３ｂの下前面枠取付用ヒンジ部材３１１ｂを介して外枠２に開閉自在に軸支されることになる。
【００３１】
なお、前面枠４を外枠２から取り外すには、前面枠４をほぼ直角状に開放した状態に位置させて該前面枠４を上方へ持ち上げ、上部可動金具８４の上ヒンジ軸８８の円形軸部８８ａを上前面枠取付用ヒンジ部材３１１ａの軸受孔６４から上方へ外す。そして、上部可動金具８４の上ヒンジ軸８８の扁平軸部８８ｂを上前面枠取付用ヒンジ部材３１１ａの切欠き溝６３から外した後、下前面枠取付用ヒンジ部材３１１ｂの下ヒンジ軸８１と下部可動金具８５の軸孔９１との嵌合を外すことによって簡単に達せられる。
【００３２】
このように、前面枠４の上部可動金具８４を軸支する上部ヒンジ機構３ａを、外枠２に固着する上ヒンジ保持部材３１ａと該上ヒンジ保持部材３１ａにそれぞれ着脱可能に装着される上前面枠取付用ヒンジ部材３１１ａとの２部材から構成し、前面枠４の下部可動金具８５を軸支する下部ヒンジ機構３ｂを上部ヒンジ機構３ａと同じように外枠２に固着する下ヒンジ保持部材３１ｂと該下ヒンジ保持部材３１ｂにそれぞれ着脱可能に装着される下前面枠取付用ヒンジ部材３１１ｂとの２部材からそれぞれ構成することにより、例えば各メーカーの前面枠に使用される上部可動金具及び下部可動金具にそれぞれ適合可能な軸支構造を備えた上前面枠取付用ヒンジ部材及び下前面枠取付用ヒンジ部材をあらかじめ用意して置くことにより、変更する機種の上下可動金具に適合する上下の前面枠取付用ヒンジ部材を選択して外枠２の上ヒンジ保持部材３１ａ及び下ヒンジ保持部材３１ｂに装着するだけの簡単な作業で変更する機種の前面枠を外枠２に軸支することができるもので、前面枠の軸支構造が異なるパチンコ機であっても外枠２を交換することなく容易に機種変更することができる。
【００３３】
一方、前記外枠２の開放側内側面の上下位置には図４及び図１２に示すように係止金具９２ａ，９２ｂが取り付けられており、前面枠４の開放側には施錠機構９３が組付けられている。この施錠機構９３は、上下方向へ摺動自在な施錠杆９４を有し、該施錠杆９４の上下部に外枠２の上部の係止金具９２ａ及び下部の係止金具９２ｂに下方から係脱する鉤部９５、９５が設けられている。そして、シリンダー錠９６の錠軸９７の回動によりカム板９８、連動部材９９を介して施錠杆９４を下方へ移動させ、それによって、鉤部９５、９５と外枠２の上部の係止金具９２ａ及び下部の係止金具９２ｂとの係合をそれぞれ解除して前面枠４を開放することができるようになっている。
【００３４】
しかして、前記係止金具９２ａ，９２ｂは、図１３に示すように外枠２の内側面にネジ止め等により固定される調節支持板１００と、該調節支持板１００に着脱可能に装着される係止部材１０１との２部材から構成されている。前記調節支持板１００は板状を呈しており、その縦方向に一定の間隔で複数の係合孔１０２が穿設されている。この係合孔１０２は大径孔部１０２ａと小径孔部１０２ｂとが連通状に設けられた横向きの鍵穴形状のものである。また、前記係止部材１０１は調節支持板１００と同じように板状を呈しており、その一側に施錠杆９４の鉤部９５と係脱する係止部１０３が折曲により一体に設けられている。また、係止部材１０１の裏側には調節支持板１００の係合孔１０２に一つ飛ばしで嵌合し得る２個の嵌合突起１０４，１０４が上下に突設されている。この嵌合突起１０４は大径孔部１０２ａに嵌合可能な大径頭部１０５と小径孔部１０２ｂに係合可能な細径基部１０６とを有する。
【００３５】
そして、前記調節支持板１００と係止部材１０１とは、係止部材１０１の嵌合突起１０４，１０４の大径頭部１０５を調節支持板１００の係合孔１０２の大径孔部１０２ａに嵌めて係止部材１０１を調節支持板１００に密着させ、この状態で係止部材１０１を横方向にスライドさせて図１４に示すように嵌合突起１０４，１０４の細径基部１０６と係合孔１０２の小径孔部１０２ｂとを係合させる。これによって、係止部材１０１と調節支持板１００とを強固に一体化することができる。また、係止部材１０１の位置変更を行う場合には、係止部材１０１を横方向にスライドさせて嵌合突起１０４，１０４の大径頭部１０５と係合孔１０２の大径孔部１０２ａとを一致させることで調節支持板１００から一旦取り外し、所定の位置を選択して上述した手順により再度調節支持板１００に取り付けることにより簡単に達せられる。なお、本実施の形態の場合、係合孔１０２が６個であるから調節支持板１００に対する係止部材１０１の装着位置を３段階に変更可能である。
【００３６】
このように、係止金具９２ａ、９２ｂを外枠２の内側面に固定される調節支持板１００と該調節支持板１００に着脱可能に装着される係止部材１０１との２部材から構成することにより、例えば変更する機種の施錠機構の鉤部と係止金具との対応位置関係が異なっていても、変更する機種の施錠機構の鉤部が係合可能な位置の係合孔１０２を選択して係止部材１０１を調節支持板１００に装着するだけの簡単な作業で変更する機種の施錠機構の鉤部と係止金具９２ａ，９２ｂとを確実に係脱可能とすることができるもので、前面枠の施錠機構が異なるメーカーのパチンコ機であっても外枠２を交換することなく容易に機種変更することができる。
【００３７】
なお、上記した実施の形態では、前面枠４を鉄板等の金属板によって形成したものを示したが、ベニヤ板等の木製或いは、合成樹脂製であっても良い。また、前面枠４をベニヤ板等の木製とし、遊技盤取付枠１２を合成樹脂によりそれぞれ別体として形成するようにしても良い。また、前面枠４と遊技盤取付枠１２とを合成樹脂により一体形成するようにしても良い。
【００３８】
【発明の効果】
以上説明したところから明らかなように、本発明にあっては、前面枠を開閉自在に軸支する上下のヒンジ機構を、外枠に固定するヒンジ保持部材と該ヒンジ保持部材に着脱可能に装着される前面枠取付用ヒンジ部材との２部材から構成し、前面枠の一側縁の上下部に設けられたヒンジ部材をヒンジ機構の前面枠取付用ヒンジ部材に軸支することにより前面枠を外枠に開閉自在に取り付けるようにしたものであるから、変更する機種の上下のヒンジ部材に適合する前面枠取付用ヒンジ部材を選択して外枠の上下のヒンジ保持部材に装着するだけの簡単な作業で変更する機種の前面枠を外枠に軸支することができるもので、前面枠の軸支構造が異なるメーカーのパチンコ機であっても外枠を交換することなく容易に機種変更することができる。
【００３９】
また、前面枠の施錠機構と係脱する係止金具を、外枠に固定する調節支持板と該調節支持板に着脱可能に装着される係止部材との２部材から構成し、係止部材に施錠機構の鉤部と係脱する係止部を設けるようにしたものであるから、変更する機種の施錠機構の鉤部と係止金具との対応位置関係が異なっていても、変更する機種の施錠機構の鉤部が係合可能な位置を選択して係止部材を調節支持板に装着するだけの簡単な作業で変更する機種の施錠機構の鉤部と係止金具とを確実に係脱可能とすることができるもので、前面枠の施錠機構が異なるメーカーのパチンコ機であっても外枠を交換することなく容易に機種変更することができる。
【図面の簡単な説明】
【図１】パチンコ遊技機の正面図である。
【図２】ガラス板保持枠と打球供給皿を有する前面板及び余剰球受皿を有する前面下部板を開いた状態の斜視図である。
【図３】ガラス板保持枠と打球供給皿を有する前面板及び余剰球受皿を有する前面下部板を装着した状態の前面枠を外枠から分離した状態の斜視図である。
【図４】外枠と前面枠を分離した状態の斜視図である。
【図５】外枠の上部ヒンジ機構部分の分解斜視図である。
【図６】外枠に上ヒンジ保持部材を固着した状態の斜視図である。
【図７】外枠の上部ヒンジ機構と前面枠の上部ヒンジ部材とを分離して示す斜視図である。
【図８】外枠の上部ヒンジ機構の取り付け状態を示す平面断面図である。
【図９】外枠の下部ヒンジ機構部分の分解斜視図である。
【図１０】外枠に下ヒンジ保持部材を固着した状態の斜視図である。
【図１１】外枠の下部ヒンジ機構の取り付け状態を示す側面断面図である。
【図１２】前面枠の施錠機構と外枠の係止金具との関連構成を説明する斜視図である。
【図１３】外枠の係止金具の分解斜視図である。
【図１４】外枠の係止金具の取り付け状態を示す側面断面図である。
【符号の説明】
２                外枠
３ａ                上部ヒンジ機構
３ｂ                下部ヒンジ機構
４                前面枠
３１ａ            上ヒンジ保持部材
３１１ａ          上前面枠取付用ヒンジ部材
３１ｂ            下ヒンジ保持部材
３１１ｂ          下前面枠取付用ヒンジ部材
５５，５６        上ヒンジ保持部材の係合孔
６０，６１        上前面枠取付用ヒンジ部材の嵌合突起
６５              上ヒンジ保持部材の係合孔の大径孔部
６６              上ヒンジ保持部材の係合孔の小径孔部
６７              上前面枠取付用ヒンジ部材の嵌合突起の大径頭部
６８              上前面枠取付用ヒンジ部材の嵌合突起の細径基部
７３              下ヒンジ保持部材の係合孔の大径孔部
７４              下ヒンジ保持部材の係合孔の小径孔部
７５              下ヒンジ保持部材の係合孔
７８              下前面枠取付用ヒンジ部材の嵌合突起
７９              下前面枠取付用ヒンジ部材の嵌合突起の大径頭部
８０              下前面枠取付用ヒンジ部材の嵌合突起の細径基部
８４              上部可動金具（前面枠の上ヒンジ部材）
８５              下部可動金具（前面枠の下ヒンジ部材）
９２ａ，９２ｂ    係止金具
９３              施錠機構
９４              施錠杆
９５，９５        鉤部
１００            調節支持板
１０１            係止部材
１０２            調節支持板の係合孔
１０２ａ          調節支持板の係合孔の大径孔部
１０２ｂ          調節支持板の係合孔の小径孔部
１０３            係止部
１０４            係止部材の嵌合突起
１０５            係止部材の嵌合突起の大径頭部
１０６            係止部材の嵌合突起の細径基部
【図１】
0004341944.tif 000002
【図２】
0004341944.tif 000003
【図３】
0004341944.tif 000004
【図４】
0004341944.tif 000005
【図５】
0004341944.tif 000006
【図６】
0004341944.tif 000007
【図７】
0004341944.tif 000008
【図８】
0004341944.tif 000009
【図９】
0004341944.tif 000010
【図１０】
0004341944.tif 000011
【図１１】
0004341944.tif 000012
【図１２】
0004341944.tif 000013
【図１３】
0004341944.tif 000014
【図１４】
0004341944.tif 000015